(57)【特許請求の範囲】
【請求項１】
一部が重なり合う２枚の上下瓦の間に介在され、段状に形成された上部体と、前記上下瓦より一段下の一部が重なり合う２枚の上下瓦の間に介在され、前記上部体と螺子止めして組み合わせて使用する段状に形成された下部体とからなる屋根設置物の固定具であって、前記上部体は瓦の表面に沿って長尺に形成され、各種長さの瓦に対応できるように長孔が設けられ、さらに中間部に屋根設置物を固定するためのボルトが装着された一端平板部と、段部より前記一端平板部と連結され、屋根下地に螺子止めするための複数の取り付け孔が設けられた他端部とを備え、前記下部体は上部体に螺子止めするための孔を有する一端平板部と、段部より前記一端平板部と連結され、屋根下地に螺子止めするための複数の取り付け孔が設けられた他端部とを備えたことを特徴とする屋根設置物の固定具。
【発明の詳細な説明】
【０００１】
【発明の属する技術分野】
本発明は、住宅家屋等の建造物の屋根に設置し太陽光を利用する太陽熱温水器や太陽電池パネル等の屋根設置物の固定具に関する。
【０００２】
【従来の技術とその課題】
従来、太陽熱温水器や太陽電池パネル等から成る構造物を家屋の屋根に設置する太陽光利用装置において、ステンレス線などのワイヤの基端を構造物の四隅に連結し、さらに屋根の周囲部などに連結することにより、構造物の屋根への固定を行っていた。
【０００３】
しかしこのような太陽光利用装置では、構造物の載置作業に多大な時間と労力を要する上、構造物を載置したときの安定性もきわめて悪く、またワイヤによる固定強度の確保も充分なものではなく、さらに全体的な外観においても美観を著しく損なうものであった。
【０００４】
また、図１１に示すように、太陽熱温水器等の構造物５１を固定するために、複数の専用屋根瓦５２を構造物５１の四隅近傍に配設し、これら専用屋根瓦５２の主面に縦方向（屋根に対して略垂直）に設けたボルト挿通孔５２ａを利用して、構造物５１と専用屋根瓦５２とを固定するとともに、屋根下地５３にもボルト挿通孔５３ａを設けて、専用屋根瓦５２を屋根下地５３に固定する太陽光利用装置Ｊが提案されている（例えば、特開昭６２−５０６２７号公報を参照）。
【０００５】
しかし、このような太陽光利用装置では、専用屋根瓦と屋根下地とを貫通するボルト挿通孔が原因となり、太陽光利用装置の長期間の使用では雨漏り等の問題が発生する恐れがあった。
【０００６】
また、専用屋根瓦の裏側にワイヤをかけるフックを設け、屋根下地を貫通する挿通孔にワイヤ通して、専用屋根瓦と天井裏の梁とをワイヤで連結するようにしたものも提案されているが、天井裏からの施工が非常に大変であり、また屋根下地に挿通孔を設けるので、やはり雨漏りが発生する恐れがある。
【０００７】
さらに、住宅に用いられる瓦の種類は非常に多いため、それぞれの種類に対応する専用瓦が必要となり、汎用性に欠けるという問題があった。
【０００８】
また、瓦の側面方向（雨の流れ落ちる方向に直交する方向）から金具を外部に露出させて、この金具に構造物を載置固定したものが提案されているが、瓦の側面形状は和瓦、洋瓦、平板瓦等さまざまであり、１種類の金具では各種瓦に対応できず、汎用性がほとんどないといえる。また、同一種類の瓦に対応させる場合であっても、施行方法の違い（桟木の仕様、土葺き等）により、屋根下地面から瓦表面までの高さはさまざまであるため、広く現場対応させる為には、高さ調整機能等が不可欠となる（特開昭60-156854 号公報等を参照）。
【０００９】
そこで、本発明は上述の事情に鑑み提案されたものであり、各種瓦に対応することができ施工性も良好な優れた屋根設置物の固定具を提供することを目的とする。
【００１０】
【課題を解決するための手段】
上記目的を達成させるために、本発明の屋根設置物の固定具は、一部が重なり合う２枚の上下瓦の間に介在され、段状に形成された上部体と、前記上下瓦より一段下の一部が重なり合う２枚の上下瓦の間に介在され、前記上部体と螺子止めして組み合わせて使用する段状に形成された下部体とからなる屋根設置物の固定具であって、前記上部体は瓦の表面に沿って長尺に形成され、各種長さの瓦に対応できるように長孔が設けられ、さらに中間部に屋根設置物を固定するためのボルトが装着された一端平板部と、段部より前記一端平板部と連結され、屋根下地に螺子止めするための複数の取り付け孔が設けられた他端部とを備え、前記下部体は上部体に螺子止めするための孔を有する一端平板部と、段部より前記一端平板部と連結され、屋根下地に螺子止めするための複数の取り付け孔が設けられた他端部とを備えたことを特徴とする。
【００１１】
ここで、支持体の基本構成材料として、特にステンレス、アルミニウム、もしくはアルミニウム合金等から成る金属製とすれば、加工が容易である上、耐久性に優れ、強度も十分に確保することができる。
【００１２】
また、屋根設置物は特に太陽熱温水器もしくは太陽電池パネル等のように大型で重量物である場合に好適であるが、それら構造物の架台を固定するものであってもよい。
【００１３】
【発明の実施の形態】
まず、本発明に係る参考例を図１〜図８を用いて説明する。
図１は、家屋の屋根に太陽光を受光して集熱及び／又は発電を行う太陽光利用装置（例えば太陽電池パネル，太陽熱温水器、もしくはそれら構造物の架台等）の屋根設置物１を設置した様子を示す斜視図である。また、図２は、屋根設置物１を載置する前の様子を示す斜視図である。また、図３は、図１のIII −III 線における概略断面図である。さらに、図４は、屋根下地（または野地板）２上に配設した互いに重なり合う２枚の上下瓦３，４の間に設ける支持体（屋根設置物の固定具）５の斜視図である。
【００１４】
図１〜図４に示すように、ステンレス等の金属材料から成る支持体５は、上下瓦３，４の側面形状に沿った段部５ａ，５ｂと上瓦３の表面に沿って一端を上瓦の一端部に露出させ平板状に折り曲げて成る平板部（屋根設置物１を載置固定させる載置部）５ｃとを有し、支持体５の他端である一端部（屋根下地２に固定させる屋根固定部）５ｄを取り付け孔５ｈに挿通させた木ねじ７等により屋根下地２に固定するとともに、支持体５の平板部５ｃに開口した孔５ｅへ挿通したボルト６等により屋根設置物１を堅固に載置固定させるようにしている。
【００１５】
ここで、支持体５の特徴的な構成は、まず上瓦３の端部３ａと下瓦４の表面４との間の隙間を適当な厚みで埋めるべく、段部５ａにおける平板部５ｇを肉薄（数mm程度）としていること、及び、上瓦３と下瓦４との間の中間平板部５ｆの厚みが上瓦３の奥へ向かって次第に肉厚となっていることであり、このように形成することにより、支持体５の取付けによる上瓦３の浮き上がりを極力小さくすることができ、また瓦の吹き上げ等に対する抗力を増大させることができるので好適である。
【００１６】
この支持体は、図５に示すように、支持体１５の中間平板部の途中で厚みを変えるようにしてもよい。すなわち、段状に成形された第１の金具１６とこれより段部の数が少ない第２の金具１７とを接合させることにより、支持体１５を構成してもよい。このような支持体１５によっても、上記支持体５と同様な効果を奏することが期待できる。なお、支持体１５の一端部に設けたアジャスタボルト１８でもって支持体１５の屋根取付け面より突出させ、支持体１５の中間平板部が上瓦の裏面に沿う高さに調節することにより、瓦材の種類が異なる場合、桟木高さが大きい場合、または施工方法（土葺き等）が異なる場合でも適宜に対応でき、屋根下地面から瓦表面までの高さを調節することが可能となる。
【００１７】また、図６に示すように、段状に形成された金具２６の平板部２６ａの中間部に補強用の金具２７を設けた上部体２５を、図７に示すような下部体（ベース基板）２８に螺子止めして組み合わせて図８に示す支持体３４を構成するようにしてもよい。
【００１８】
ここで、下部体２８は木板２９の裏面の中間部及び両端部に複数枚の木板や弾性部材等から成る高さ調整用板３１，３２，３３を設けて成るものである。
【００１９】
図８に示すように、まず下部体２８を垂木８まで螺子止めして固定する。次いで、この下部体２８に上部体２５を螺子止めして、弾性部材であるクッション材３５を介して上瓦４を固定する。この実施形態によっても、上記支持体５と同様な効果を奏することが期待できる。
【００２０】
次に、本発明に係る実施形態を図９と図１０に示す実施例を用いて説明する。
図９（ａ）に示す段状に形成された上部体３５と、図９（ｂ）に示すように上部体３５より段数が多い下部体３６とを螺子止めして組み合わせて、図１０に示す支持体３７を構成するようにしている。
【００２１】
すなわち、図９（ａ）に示すように、上部体３５は一端平板部３５ａが上瓦３の表面に沿って長尺に形成されているとともに、この平板部３５ａに各種長さの瓦に対応できるように長孔３５ｂが設けられている。さらに、この平板部３５ａの中間部に屋根設置物を固定するためのボルト３８が装着されている。そして、他端部３５ｃには屋根下地に螺子止めするための複数の取付け孔３５ｄが設けられている。
【００２２】
また、図９（ｂ）に示すように、下部体３６は一端平板部３６ａには上部体３５に螺子止めするための孔３６ｂが設けられ、他端部３６ｃには上部体３５と同様に屋根下地に螺子止めするための複数の取付け孔３６ｄが設けられている。
【００２３】
次に、上部体３５と下部体３６とを組み合わせた支持体３７を屋根下地２上に取付ける方法について説明する。図１０に示すように、まず、下瓦４及び上瓦３を取り外し、下部体３６を屋根下地に木ねじ４０等で固定する。この場合、固定強度を確保するために、垂木等に強固に固定された補強板を介して固定してもよい。
【００２４】
次いで、下瓦４を元の位置に取付け、上部体３５を屋根下地２に下部体３６と同様にして固定する。この場合も下部体３６と同様に垂木等に強固に固定された補強板を介して固定してもよい。また、この際に上部体３５と下部体３６をボルトとナットとで固定する。そして最後に上瓦３を元の位置に取り付け、この支持体３７に屋根設置物１を取り付ける。このとき、幅広の金属製などの固定バンド４１でもって、屋根設置物１と支持体３７とを堅固に緊縛してもよい。この実施形態によっても図２〜図４に示す参考例の支持体５と同様な効果を奏することが期待できる。
【００２５】
なお、屋根設置物として太陽熱温水器や太陽電池パネルの架台を例に採り説明したが、これに限定されるものではなく、例えば小型の太陽電池モジュール、太陽光の反射装置、各種アンテナ装置、または観測機器等に適用してもよい。本発明の要旨を逸脱しない範囲内で適宜変更し、実施が可能である。
【００２６】
【発明の効果】
以上説明したように、本発明の屋根設置物の固定具によれば、家屋の既築、新築を問わずに簡便に施工を行うことができる。また、支持体は各種瓦形状に合わせて容易に成形することができ、汎用性に富むうえに、既成の瓦の上下面に貫通部を形成させないので、雨漏れの心配が全くない信頼性の高い固定構造を提供できる。
【図面の簡単な説明】
【図１】本発明の参考例を説明する斜視図である。
【図２】図１において屋根設置物を取り除いた様子を説明する斜視図である。
【図３】図１のIII −III 線断面図である。
【図４】支持体の斜視図である。
【図５】支持体の他の参考例を説明する斜視図である。
【図６】支持体の他の参考例を説明する斜視図である。
【図７】ベース基板を説明する斜視図である。
【図８】屋根設置物の固定構造の他の参考例を説明する断面図である。
【図９】本発明の実施形態を示しており、（ａ）は支持体を構成する上部材の斜視図、（ｂ）支持体を構成する下部材の斜視図である。
【図１０】屋根設置物の固定構造の他の実施形態を説明する断面図である。
【図１１】屋根設置物の固定構造の従来例を説明する断面図である。
【符号の説明】
１：屋根設置物
２：屋根下地
３：上瓦
４：下瓦
５，１５，３４，３７：支持体（固定具）
【図１】
0003588214.tif 000002
【図２】
0003588214.tif 000003
【図３】
0003588214.tif 000004
【図４】
0003588214.tif 000005
【図５】
0003588214.tif 000006
【図６】
0003588214.tif 000007
【図７】
0003588214.tif 000008
【図８】
0003588214.tif 000009
【図９】
0003588214.tif 000010
【図１０】
0003588214.tif 000011
【図１１】
0003588214.tif 000012